(57)【特許請求の範囲】
【請求項１】
エレメントが８の字の形状をしたＭＲＩ用平面型コイルであって、そのコイルの感度領域が８の字の交差辺の近傍であり、その感度領域の振動磁場の向きがそのコイルが形成する平面と平行であるＭＲＩ用平面型コイルにおいて、
８の字の上辺および下辺に相当する部分のエレメントの幅を、８の字の交差辺のエレメントの幅よりも広くしたことを特徴とするＭＲＩ用平面型コイル。
【請求項２】
エレメントが８の字の形状をしたＭＲＩ用平面型コイルであって、そのコイルの感度領域が８の字の交差辺の近傍であり、その感度領域の振動磁場の向きがそのコイルが形成する平面と平行であるＭＲＩ用平面型コイルにおいて、
８の字の上辺および下辺に相当する部分のエレメントの幅と、８の字の右辺および左辺に相当する部分のエレメントの幅を、８の字の交差辺のエレメントの幅よりも広くしたことを特徴とするＭＲＩ用平面型コイル。
【請求項３】
エレメントが８の字の形状をしたＭＲＩ用平面型コイルであって、そのコイルの感度領域が８の字の交差辺の近傍であり、その感度領域の振動磁場の向きがそのコイルが形成する平面と平行であるＭＲＩ用平面型コイルにおいて、
８の字の上辺および下辺に相当する部分のエレメントの幅、または、８の字の上辺と下辺と右辺と左辺のそれぞれに相当する部分のエレメントの幅を、８の字の交差辺のエレメントの幅の２倍以上、１０倍以下としたことを特徴とするＭＲＩ用平面型コイル。
【請求項４】
比較的に面積が大きい面導体の略中央に、比較的に面積が小さい２つの開口部を互いに隣接して形成し、導体部分をエレメントとして用いるＭＲＩ用平面型コイルであり、そのコイルの感度領域が前記２つの開口部に挟まれた部分のエレメントの近傍であり、その感度領域の振動磁場の向きがそのコイルが形成する平面と平行であるＭＲＩ用平面型コイルであって、
前記２つの開口部の配列方向を縦方向とするとき、前記導体部分の上辺および下辺に相当する部分のエレメントの幅を、前記２つの開口部に挟まれた部分のエレメントの幅よりも広くしたことを特徴とするＭＲＩ用平面型コイル。
【請求項５】
比較的に面積が大きい面導体の略中央に、比較的に面積が小さい２つの開口部を互いに隣接して形成し、導体部分をエレメントとして用いるＭＲＩ用平面型コイルであり、そのコイルの感度領域が前記２つの開口部に挟まれた部分のエレメントの近傍であり、その感度領域の振動磁場の向きがそのコイルが形成する平面と平行であるＭＲＩ用平面型コイルであって、
前記２つの開口部の配列方向を縦方向とするとき、前記導体部分の上辺および下辺に相当する部分のエレメントの幅と、前記導体部分の右辺および左辺に相当する部分のエレメントの幅を、前記２つの開口部に挟まれた部分のエレメントの幅よりも広くしたことを特徴とするＭＲＩ用平面型コイル。
【請求項６】
比較的に面積が大きい面導体の略中央に、比較的に面積が小さい２つの開口部を互いに隣接して形成し、導体部分をエレメントとして用いるＭＲＩ用平面型コイルであり、そのコイルの感度領域が前記２つの開口部に挟まれた部分のエレメントの近傍であり、その感度領域の振動磁場の向きがそのコイルが形成する平面と平行であるＭＲＩ用平面型コイルであって、
前記２つの開口部の配列方向を縦方向とするとき、前記導体部分の上辺および下辺に相当する部分のエレメントの幅、または、前記導体部分の上辺と下辺と右辺と左辺のそれぞれに相当する部分のエレメントの幅を、前記２つの開口部に挟まれた部分のエレメントの幅の２倍以上、１０倍以下としたことを特徴とするＭＲＩ用平面型コイル。
【発明の詳細な説明】
【０００１】
【発明の属する技術分野】
本発明は、ＭＲＩ（Ｍａｇｎｅｔｉｃ  Ｒｅｓｏｎａｎｃｅ  Ｉｍａｇｉｎｇ  ）用平面型コイルに関し、さらに詳しくは、不要な振動磁場の発生やノイズの拾い込みを抑制して、ＳＮＲ（Ｓｉｇｎａｌ  ｔｏ  Ｎｏｉｓｅ  Ｒａｔｉｏ）を高くできるように改良したＭＲＩ用平面型コイルに関する。
【０００２】
【従来の技術】
図８は、従来のＭＲＩ用平面型コイルの一例を示す構成図である。
このＭＲＩ用平面型コイル６００は、エレメントＥ５１が８の字の形状をしており、８の字型コイルとも呼ばれる（図示の都合上、図８では、８の字を横向きにしている）。
前記エレメントの幅Ｗ５１は、８の字のどの辺でも略一定である。
８の字を縦向きにしたとき、上辺および下辺に相当する部分のエレメントの略中央には、それぞれコンデンサＣ５１，Ｃ５２が介設されている。また、交差辺の略中央には、コンデンサＣ３が介設されている。そのコンデンサＣ３の両端には、同軸ケーブルＬの心線および外部導体がそれぞれ接続されている。
【０００３】
８の字の縦方向をｘ軸方向とし，横方向をｙ軸方向とし，それらに直交する方向をｚ軸方向とするとき、通常は、ｘ軸，ｙ軸を水平面内とし、ｚ軸を鉛直方向とする。そして、垂直磁場型ＭＲＩ装置の場合には、ｚ軸方向に静磁場を加える。
【０００４】
図９は、上記ＭＲＩ用平面型コイル６００に電流ｉを流したときに生じるｚｘ面の磁束分布の状態を図８のＸ−Ｘ’断面で示した説明図である。
このＭＲＩ用平面型コイル６００は、ｘ軸方向の振動磁場Ｂｘを発生または受信するのに用いられる。すなわち、送信コイルとして用いるときには、同軸ケーブルＬを通じて、ＭＲＩ用ＲＦパルスを印加することで、振動磁場Ｂｘが発生する。また、受信コイルとして用いるときには、振動磁場ＢｘにかかるＮＭＲ（Ｎｕｃｌｅａｒ  Ｍａｇｎｅｔｉｃ  Ｒｅｓｏｎａｎｃｅ  ）信号を受信し、前記同軸ケーブルＬを通じてＭＲ装置本体（図示せず）へ伝送する。図９の斜線部が有効な感度領域Ｚ１，Ｚ２となる。
【０００５】
なお、ＭＲＩ用平面型コイルは、一般に表面コイルとして用いられるため、受信専用コイルとして利用されることが多い。
【０００６】
【発明が解決しようとする課題】
上記従来のＭＲＩ用平面型コイル６００において、８の字の上辺および下辺に相当する部分のエレメントに着目すると、図９に示すように、これらを取り巻くように磁束Ｂ５１，Ｂ５２が形成されている。このため、本来の感度領域Ｚ１，Ｚ２の外に、図１０の斜線部の感度領域Ｆ１，Ｆ２が生じる。
しかし、このような余計な感度領域Ｆ１，Ｆ２は、ＭＲＩに意味を持たず、ＳＮＲを低下させる問題点を生じる。例えば、被検体Ｈの脊柱Ｓを撮像対象とするときに、感度領域Ｆ１，Ｆ２の部分に相当する被検体Ｈの部分を不要に励起したり、当該部分からのノイズを拾ったりし、いずれにしてもＳＮＲを低下させてしまう。
そこで、本発明の目的は、余計な感度領域の発生を抑制し、ＳＮＲを高くできるように改良したＭＲＩ用平面型コイルを提供することにある。
【０００７】
【課題を解決するための手段】
第１の観点では、本発明は、エレメントが８の字の形状をしたＭＲＩ用平面型コイルにおいて、８の字の上辺および下辺に相当する部分のエレメントの幅を、８の字の交差辺のエレメントの幅よりも広くしたことを特徴とするＭＲＩ用平面型コイルを提供する。
上記第１の観点のＭＲＩ用平面型コイルでは、８の字の上辺および下辺に相当する部分のエレメントの幅を、８の字の交差辺のエレメントの幅よりも広くした。したがって、８の字の上辺および下辺に相当する部分のエレメントを取り囲むように発生する磁束の強度を小さくでき、余計な感度領域が形成されることを抑制できる。この結果、不要な振動磁場の発生やノイズの拾い込みを抑制でき、ＳＮＲを高くできる。
【０００８】
第２の観点では、本発明は、エレメントが８の字の形状をしたＭＲＩ用平面型コイルにおいて、８の字の上辺および下辺に相当する部分のエレメントの幅と，８の字の右辺および左辺に相当する部分のエレメントの幅を、８の字の交差辺のエレメントの幅よりも広くしたことを特徴とするＭＲＩ用平面型コイルを提供する。
上記第２の観点のＭＲＩ用平面型コイルでは、８の字の上辺と下辺に相当する部分のエレメントに加えて、８の字の右辺および左辺に相当する部分のエレメントの幅をも、８の字の交差辺のエレメントの幅よりも広くした。したがって、８の字の右辺および左辺に相当する部分を取り囲むように磁束の強度をも小さくでき、余計な感度領域が形成されることを一層抑制できる。この結果、不要な振動磁場の発生やノイズの拾い込みを抑制でき、ＳＮＲを高くできる。
【０００９】
第３の観点では、本発明は、エレメントが８の字の形状をしたＭＲＩ用平面型コイルにおいて、８の字の上辺および下辺に相当する部分のエレメントの幅、または、８の字の上辺と下辺と右辺と左辺のそれぞれに相当する部分のエレメントの幅を、８の字の交差辺のエレメントの幅の２倍以上，１０倍以下としたことを特徴とするＭＲＩ用平面型コイルを提供する。
８の字の上辺と下辺と右辺と左辺のそれぞれに相当する部分のエレメントの幅が８の字の交差辺のエレメントの幅の２倍より小さいと、余計な感度領域の形成を十分に抑制できない。また、１０倍より大きくすると、取り扱いが不便になる。従って、２倍以上，１０倍以下とすることで、占有スペースの増大を最小限にしながら、余計な感度成分の生成を十分に抑制することが出来る。そして、これにより、不要な振動磁場の発生やノイズの拾い込みを抑制でき、ＳＮＲを高くできる。
【００１０】
第４の観点では、本発明は、比較的に面積が大きい面導体の略中央に、比較的に面積が小さい２つの開口部を互いに隣接して形成し、導体部分をエレメントとして用いるＭＲＩ用平面型コイルであって、前記２つの開口部の配列方向を縦方向とするとき、前記導体部分の上辺および下辺に相当する部分のエレメントの幅を、前記２つの開口部に挟まれた部分のエレメントの幅よりも広くしたことを特徴とするＭＲＩ用平面型コイルを提供する。
上記第４の観点のＭＲＩ用平面型コイルでは、導体部分の上辺および下辺に相当する部分のエレメントの幅を、２つの開口部に挟まれた部分のエレメントの幅よりも広くした。したがって、導体部分の上辺および下辺に相当する部分のエレメントを取り囲むように発生する磁束の強度を小さくすることができ、余計な感度領域が形成されることを抑制できる。この結果、不要な振動磁場の発生やノイズの拾い込みを抑制でき、ＳＮＲを高くできる。
【００１１】
第５の観点では、本発明は、比較的に面積が大きい面導体の略中央に、比較的に面積が小さい２つの開口部を互いに隣接して形成し、導体部分をエレメントとして用いるＭＲＩ用平面型コイルであって、前記２つの開口部の配列方向を縦方向とするとき、前記導体部分の上辺および下辺に相当する部分のエレメントの幅と，前記導体部分の右辺および左辺に相当する部分のエレメントの幅を、前記２つの開口部に挟まれた部分のエレメントの幅よりも広くしたことを特徴とするＭＲＩ用平面型コイルを提供する。
上記第５の観点のＭＲＩ用平面型コイルでは、導体部分の上辺と下辺に相当する部分のエレメントに加えて、導体部分の右辺および左辺に相当する部分のエレメントの幅をも、２つの開口部に挟まれた部分のエレメントの幅よりも広くした。したがって、導体部分の右辺および左辺に相当する部分を取り囲むように発生する磁束の強度を小さくでき、余計な感度領域が生じることを一層抑制することが出来る。この結果、不要な振動磁場の発生やノイズの拾い込みを抑制でき、ＳＮＲを高くできる。
【００１２】
第６の観点では、本発明は、比較的に面積が大きい面導体の略中央に、比較的に面積が小さい２つの開口部を互いに隣接して形成し、導体部分をエレメントとして用いるＭＲＩ用平面型コイルであって、前記２つの開口部の配列方向を縦方向とするとき、前記導体部分の上辺および下辺に相当する部分のエレメントの幅、または、前記導体部分の上辺と下辺と右辺と左辺のそれぞれに相当する部分のエレメントの幅を、前記２つの開口部に挟まれた部分のエレメントの幅の２倍以上，１０倍以下としたことを特徴とするＭＲＩ用平面型コイルを提供する。
導体部分の上辺および下辺に相当する部分のエレメントの幅、または、導体部分の上辺と下辺と右辺と左辺のそれぞれに相当する部分のエレメントの幅が、２つの開口部に挟まれた部分のエレメントの幅の２倍より小さいと、余計な感度領域の形成を十分に抑制できない。また、１０倍より大きくすると、取り扱いが不便になる。従って、２倍以上，１０倍以下とすることで、占有スペースの増大を最小限にしながら、余計な感度成分の生成を十分に抑制することが出来る。そして、これにより、不要な振動磁場の発生やノイズの拾い込みを抑制でき、ＳＮＲを高くできる。
【００１３】
【発明の実施の形態】
以下、図に示す実施形態により本発明をさらに詳細に説明する。なお、これにより本発明が限定されるものではない。
【００１４】
−第１の実施形態−
図１は、本発明の第１の実施形態のＭＲＩ用平面型コイルを示す構成図である。
このＭＲＩ用平面型コイル１００は、エレメントＥ１が８の字の形状をしている（図示の都合上、図１では、８の字を横向きにしている）。
８の字を縦向きにしたとき、その上辺および下辺に相当する部分のエレメントの幅Ｗ１は、８の字の交差辺のエレメントの幅Ｗｋの２倍〜１０倍程度になっている。
８の字の上辺および下辺に相当する部分のエレメントの略中央には、それぞれ複数のコンデンサＣ１，Ｃ２が介設されている。また、交差辺の略中央には、コンデンサＣ３が介設されている。そのコンデンサＣ３の両端には、同軸ケーブルＬの心線および外部導体がそれぞれ接続されている。
【００１５】
８の字の縦方向をｘ軸方向とし，横方向をｙ軸方向とし，それらに直交する方向をｚ軸方向とするとき、通常は、ｘ軸，ｙ軸を水平面内とし、ｚ軸を鉛直方向とする。そして、垂直磁場型ＭＲＩ装置の場合には、ｚ軸方向に静磁場を加える。
【００１６】
図２は、このＭＲＩ用平面型コイル１００に電流ｉを流したときに生じるｚｘ面の磁束分布の状態を図１のＸ−Ｘ’断面で示した説明図である。
このＭＲＩ用平面型コイル１００は、ｘ軸方向の振動磁場Ｂｘを発生または受信するのに用いられる。すなわち、送信コイルとして用いるときには、同軸ケーブルＬを通じて、ＭＲＩ用ＲＦパルスを印加することで、振動磁場Ｂｘが発生する。また、受信コイルとして用いるときには、振動磁場ＢｘにかかるＮＭＲ信号を受信し、前記同軸ケーブルＬを通じてＭＲ装置本体（図示せず）へ伝送する。図２の斜線部が有効な感度領域Ｚ１，Ｚ２となる。
【００１７】
さて、８の字の上辺および下辺に相当する部分のエレメントの幅Ｗ１は８の字の交差辺のエレメントの幅Ｗｋよりも広いから、８の字の上辺および下辺を取り巻く磁路が長くなり、８の字の上辺および下辺を取り巻く磁束Ｂ１，Ｂ２の強度は小さくなる。従って、８の字の上辺および下辺に相当する部分のエレメントの近傍に余計な感度領域が生じることが抑制される。
この結果、不要な振動磁場の発生やノイズの拾い込みを抑制でき、ＳＮＲを高くできる。
【００１８】
−第２の実施形態−
図３は、本発明の第２の実施形態のＭＲＩ用平面型コイルを示す構成図である。
このＭＲＩ用平面型コイル２００は、エレメントＥ２が８の字の形状をしている（図示の都合上、図３では、８の字を横向きにしている）。
８の字を縦向きにしたとき、その上辺および下辺に相当する部分のエレメントの幅Ｗ１および左辺および右辺に相当する部分のエレメントの幅Ｗ２は、８の字の交差辺のエレメントの幅Ｗｋの２倍〜１０倍程度になっている。
８の字の上辺および下辺に相当する部分のエレメントの略中央には、それぞれ複数のコンデンサＣ１，Ｃ２が介設されている。また、交差辺の略中央には、コンデンサＣ３が介設されている。そのコンデンサＣ３の両端には、同軸ケーブルＬの心線および外部導体がそれぞれ接続されている。
【００１９】
８の字の縦方向をｘ軸方向とし，横方向をｙ軸方向とし，それらに直交する方向をｚ軸方向とするとき、通常は、ｘ軸，ｙ軸を水平面内とし、ｚ軸を鉛直方向とする。そして、垂直磁場型ＭＲＩ装置の場合には、ｚ軸方向に静磁場を加える。
【００２０】
上記ＭＲＩ用平面型コイル２００によれば、８の字の上辺と下辺に相当する部分のエレメントの幅を８の字の交差辺のエレメントの幅Ｗｋよりも広くすることに加えて、８の字の右辺および左辺に相当する部分のエレメントの幅Ｗ２をも８の字の交差辺のエレメントの幅Ｗｋよりも広くしている。従って、８の字の右辺および左辺に相当する部分を取り囲む磁束の強度をも小さくでき、余計な感度領域が生じることを一層抑制することが出来る。
この結果、不要な振動磁場の発生やノイズの拾い込みを抑制でき、ＳＮＲを高くできる。
【００２１】
−第３の実施形態−
図４は、本発明の第３の実施形態のＭＲＩ用平面型コイルを示す構成図である。
このＭＲＩ用平面型コイル３００は、比較的に面積が大きい面導体の略中央に、比較的に面積が小さい２つの開口部α，βを隣接して形成し、導体部分をエレメントＥ３として用いるものである。
前記開口部α，βの配列方向を縦方向とするとき、前記導体部分の上辺および下辺に相当する部分のエレメントの幅Ｗａは、前記開口部αと開口部βに挟まれた部分のエレメントの幅Ｗｍの２倍〜１０倍程度である。
前記導体部分の上辺および下辺に相当する部分のエレメントの略中央には、それぞれ複数のコンデンサＣ１，Ｃ２が介設されている。また、開口部αと開口部βに挟まれた部分のエレメントの略中央には、コンデンサＣ３が介設されている。そのコンデンサＣ３の両端には、同軸ケーブルＬの心線および外部導体がそれぞれ接続されている。
【００２２】
前記開口部α，βの配列方向をｘ軸方向とし，面導体内でｘ軸方向に直交する方向をｙ軸方向とし，それらに直交する方向をｚ軸方向とするとき、通常は、ｘ軸，ｙ軸を水平面内とし、ｚ軸を鉛直方向とする。そして、垂直磁場型ＭＲＩ装置の場合には、ｚ軸方向に静磁場を加える。
【００２３】
図５は、このＭＲＩ用平面型コイル３００に電流ｉを流したときに生じるｚｘ面の磁束分布の状態を図４のＸ−Ｘ’断面で示した説明図である。
前記開口部αと開口部βに挟まれた部分のエレメントに対して左右対称に環状に流れる電流ｉ１，ｉ２，ｉ（＝ｉ１＋ｉ２）および電流ｉにかかる振動磁場Ｂｘを考えると、８の字型コイルと等価になる。従って、図５の斜線部が有効な感度領域Ｚ１，Ｚ２となる。
【００２４】
さて、前記開口部α，βの配列方向を縦方向とするとき、前記導体部分の上辺および下辺に相当する部分のエレメントの幅Ｗａは前記開口部αと開口部βに挟まれた部分のエレメントの幅Ｗｍより広いから、それら上辺および下辺を取り巻く磁路が長くなり、上辺および下辺を取り巻く磁束Ｂ１，Ｂ２の強度は小さくなる。従って、上辺および下辺に相当する部分のエレメントの近傍に余計な感度領域が生じることが抑制される。
【００２５】
この結果、不要な振動磁場の発生やノイズの拾い込みを抑制でき、ＳＮＲを高くできる。
【００２６】
−第４の実施形態−
図６は、本発明の第４の実施形態のＭＲＩ用平面型コイルを示す構成図である。
このＭＲＩ用平面型コイル４００は、比較的に面積が大きい面導体の略中央に、比較的に面積が小さい２つの開口部α，βを隣接して形成し、導体部分をエレメントＥ４として用いるものである。
前記開口部α，βの配列方向を縦方向とするとき、前記導体部分の上辺および下辺に相当する部分のエレメントの幅Ｗａは、前記開口部αと開口部βに挟まれた部分のエレメントの幅Ｗｍの２倍〜１０倍程度である。また、前記導体部分の左辺および右辺に相当する部分のエレメントの幅Ｗｂは、前記開口部αと開口部βに挟まれた部分のエレメントの幅Ｗｍの２倍〜１０倍程度である。
前記導体部分の上辺および下辺に相当する部分のエレメントの略中央には、それぞれ複数のコンデンサＣ１，Ｃ２が介設されている。また、開口部αと開口部βに挟まれた部分のエレメントの略中央には、コンデンサＣ３が介設されている。そのコンデンサＣ３の両端には、同軸ケーブルＬの心線および外部導体がそれぞれ接続されている。
【００２７】
前記開口部α，βの配列方向をｘ軸方向とし，面導体内でｘ軸方向に直交する方向をｙ軸方向とし，それらに直交する方向をｚ軸方向とするとき、通常は、ｘ軸，ｙ軸を水平面内とし、ｚ軸を鉛直方向とする。そして、垂直磁場型ＭＲＩ装置の場合には、ｚ軸方向に静磁場を加える。
【００２８】
上記ＭＲＩ用平面型コイル４００によれば、前記開口部α，βの配列方向を縦方向としたときに、上辺と下辺に相当する部分のエレメントの幅Ｗａを前記開口部αと開口部βに挟まれた部分のエレメントの幅Ｗｍよりも広くすることに加えて、右辺および左辺に相当する部分のエレメントの幅Ｗｂをも前記幅Ｗｍよりも広くしている。従って、右辺および左辺に相当する部分を取り囲む磁束の強度をも小さくでき、余計な感度領域が生じることを一層抑制することが出来る。
この結果、不要な振動磁場の発生やノイズの拾い込みを抑制でき、ＳＮＲを高くできる。
【００２９】
−第５の実施形態−
図７は、本発明の第５の実施形態のＭＲＩ用平面型コイルを示す構成図である。
このＭＲＩ用平面型コイル５００は、上記第３の実施形態のＭＲＩ用平面型コイル３００と同構成の複数のＭＲＩ用平面型コイル３００ａ，３００ｂ，３００ｃを被検体Ｈの脊柱Ｓの走行方向に沿って配列して、フェーズドアレー（ｐｈａｓｅｄ
ａｒｒａｙ）型コイルとして用いるものである。
送信コイルとして用いるときには、所望のビーム方向，放射パターンが実現するように、ＭＲ装置本体（図示せず）から同軸ケーブルＬａ，Ｌｂ，Ｌｃへ出力するＭＲＩ用ＲＦパルスの位相や強度を制御する。また、受信コイルとして用いるときには、同軸ケーブルＬａ，Ｌｂ，Ｌｃを通じてＭＲ装置本体へ伝送されるＮＭＲ信号の位相や増幅率を所定の感度指向性が実現するように制御する。
【００３０】
【発明の効果】
本発明のＭＲＩ用平面型コイルによれば、８の字型コイルや，導体面に２つの開口部を設けたタイプのコイルで、上辺および下辺に相当するエレメントの幅を広げるという簡単な構成により、不必要な振動磁場の発生やノイズ成分の拾い込みを効果的に抑制することが出来る。特に、被検体の表面近傍の脊柱などを撮像する場合に有用である。
【図面の簡単な説明】
【図１】本発明の第１の実施形態のＭＲＩ用平面型コイルを示す構成図である。
【図２】図１のＭＲＩ用平面型コイルの磁束分布の状態を示す説明図である。
【図３】本発明の第２の実施形態のＭＲＩ用平面型コイルを示す構成図である。
【図４】本発明の第３の実施形態のＭＲＩ用平面型コイルを示す構成図である。
【図５】図４のＭＲＩ用平面型コイルの磁束分布の状態を示す説明図である。
【図６】本発明の第４の実施形態のＭＲＩ用平面型コイルを示す構成図である。
【図７】本発明の第５の実施形態のＭＲＩ用平面型コイルを示す構成図である。
【図８】従来のＭＲＩ用平面型コイルの一例を示す構成図である。
【図９】図８のＭＲＩ用平面型コイルの磁束分布の状態を示す説明図である。
【図１０】図８のＭＲＩ用平面型コイルで脊柱を撮像する場合の問題点を示す説明図である。
【符号の説明】
１００，２００，３００，４００，５００  …ＭＲＩ用平面型コイル
Ｃ１，Ｃ２，Ｃ３                        …コンデンサ
Ｅ１，Ｅ２，Ｅ３，Ｅ４                  …エレメント
Ｌ，Ｌ１，Ｌ２，Ｌ３                    …同軸ケーブル
Ｗ１，Ｗ２，Ｗｋ，Ｗａ，Ｗｂ，Ｗｍ      …エレメントの幅
【図１】
0003576673.tif 000002
【図２】
0003576673.tif 000003
【図３】
0003576673.tif 000004
【図４】
0003576673.tif 000005
【図５】
0003576673.tif 000006
【図６】
0003576673.tif 000007
【図７】
0003576673.tif 000008
【図８】
0003576673.tif 000009
【図９】
0003576673.tif 000010
【図１０】
0003576673.tif 000011